(57)【特許請求の範囲】
【請求項１】
移動端末装置が、第１の基地局装置との間では第１のキャリアを用いて通信し、第２の基地局装置との間では前記第１のキャリアとは異なる第２のキャリアを用いて通信するように複数のキャリアを制御する通信システムであって、
前記第２の基地局装置は、
前記移動端末装置にシグナリングする上位レイヤ信号によって第２のキャリアの少なくとも１つの物理上りリンク共有チャネル用リソースを通知し、
前記移動端末装置にシグナリングする下りリンクスケジューリング割当てによって第２のキャリアに物理下りリンク共有データチャネルを割当てると共に必要に応じてチャネル品質報告をトリガし、
前記移動端末装置は、
前記上位レイヤ信号によって通知された第２のキャリアの物理上りリンク共有チャネル用リソースを予約し、
下りリンクスケジューリング割当てによって、第２のキャリアに予約された前記物理上りリンク共有チャネル用リソースを割当ててチャネル品質報告を前記第２の基地局装置へ送信し、
前記移動端末装置は、第１のキャリアと第２のキャリアによる上りリンク同時送信が許可されていない場合、第２のキャリアの上りリンクに割り当てた物理上りリンク共有チャネルによるＡＣＫ／ＮＡＣＫ及びチャネル品質報告の送信を、第１のキャリアの上りリンクに割り当てた物理上りリンク制御チャネルによるＡＣＫ／ＮＡＣＫ及びチャネル品質報告の送信よりも優先することを特徴とする通信システム。
【請求項２】
前記移動端末装置は、
前記下りリンクスケジューリング割当てによって割り当てられた物理下りリンク共有データチャネルに対するＡＣＫ／ＮＡＣＫと、当該下りリンクスケジューリング割当てによってトリガされたチャネル品質報告としてのＣＱＩ報告とを含んだ上りリンク制御情報を、前記下りリンクスケジューリング割当てによって割り当てられた前記物理上りリンク共有チャネル用リソースを用いて前記第２の基地局装置へ送信する、
ことを特徴とする請求項１記載の通信システム。
【請求項３】
前記移動端末装置は、
前記上位レイヤ信号によって複数の物理上りリンク共有チャネル用リソースをサブフレーム毎に予約する、
ことを特徴とする請求項１記載の通信システム。
【請求項４】
前記移動端末装置は、
前記上位レイヤ信号によって複数の物理上りリンク共有チャネル用リソースを所定のサブフレーム間隔で予約する、
ことを特徴とする請求項１記載の通信システム。
【請求項５】
前記移動端末装置は、
下りリンクスケジューリング割当てによってチャネル品質報告がトリガされておらず、かつ上りリンクスケジューリンググラントによって前記第２のキャリアに対して物理上りリンク共有チャネルが割り当てられていない場合、前記下りリンクスケジューリング割当てによって割り当てられた物理下りリンク共有データチャネルに対するＡＣＫ／ＮＡＣＫを、予約された前記物理上りリンク共有チャネル用リソースのいずれかを用いて第２のキャリアから前記第２の基地局装置へ送信する、
ことを特徴とする請求項１記載の通信システム。
【請求項６】
前記移動端末装置は、
第１のキャリアと第２のキャリアの上りリンクの同時送信が許可されている場合、第１のキャリアの下りリンクで受信した物理下りリンク共有データチャネルに対するＡＣＫ／ＮＡＣＫ及び又はチャネル品質報告を、第１のキャリアの上りリンクに割り当てた物理上りリンク共有チャネル又は物理上りリンク制御チャネルを用いて所定サブフレームで送信し、第２のキャリアの下りリンクで受信した物理下りリンク共有データチャネルに対するＡＣＫ／ＮＡＣＫ及びチャネル品質報告を、第２のキャリアの上りリンクに割り当てた物理上りリンク共有チャネルを用いて前記第１のキャリアの所定サブフレームと同じサブフレームで送信する、
ことを特徴とする請求項１記載の通信システム。
【請求項７】
前記移動端末装置は、
第２のキャリアの下りリンクで上りリンクスケジューリンググラントと下りリンクスケジューリング割当ての両方を受信した場合、上りリンクスケジューリンググラントによってチャネル品質報告がトリガされておらず、かつ下りリンクスケジューリング割当てによってチャネル品質報告がトリガされていないならば、上りリンクスケジューリンググラントによって割り当てられた物理上りリンク共有チャネルを用いたＡＣＫ／ＮＡＣＫ送信を行う、
ことを特徴とする請求項１記載の通信システム。
【請求項８】
前記移動端末装置は、
第２のキャリアの下りリンクで上りリンクスケジューリンググラントと下りリンクスケジューリング割当ての両方を受信した場合、上りリンクスケジューリンググラントによってチャネル品質報告がトリガされていて、かつ下りリンクスケジューリング割当てによってチャネル品質報告がトリガされていないならば、上りリンクスケジューリンググラントによって割り当てられた物理上りリンク共有チャネルを用いたＡＣＫ／ＮＡＣＫ及びチャネル品質報告送信を行う、
ことを特徴とする請求項１記載の通信システム。
【請求項９】
前記移動端末装置は、
第２のキャリアの下りリンクで上りリンクスケジューリンググラントと下りリンクスケジューリング割当ての両方を受信した場合、上りリンクスケジューリンググラントによってチャネル品質報告がトリガされておらず、かつ下りリンクスケジューリング割当てによってチャネル品質報告がトリガされているならば、誤設定としてＡＣＫ／ＮＡＣＫ及びチャネル品質報告送信は行わない、
ことを特徴とする請求項１記載の通信システム。
【請求項１０】
前記移動端末装置は、
第２のキャリアの下りリンクで上りリンクスケジューリンググラントと下りリンクスケジューリング割当ての両方を受信した場合、上りリンクスケジューリンググラントによってチャネル品質報告がトリガされていて、かつ下りリンクスケジューリング割当てによってチャネル品質報告がトリガされているならば、誤設定としてＡＣＫ／ＮＡＣＫ及びチャネル品質報告送信は行わない、
ことを特徴とする請求項１記載の通信システム。
【請求項１１】
移動端末装置が、第１の送信ポイントとの間では第１のキャリアを用いて通信し、第２の送信ポイントとの間では前記第１のキャリアとは異なる第２のキャリアを用いて通信するように複数のキャリアを制御する通信システムにおいて、少なくとも前記第２の送信ポイントから送信される下りリンク信号を生成する基地局装置であって、
前記移動端末装置が第２のキャリアの物理上りリンク共有チャネル用リソースを予約するための上位レイヤ信号を生成する上位制御情報生成部と、
第２のキャリアに前記予約した物理上りリンク共有チャネル用リソースを割り当てるためのトリガビットが含まれた下りリンクスケジューリング割当てを生成する下り制御情報生成部と、
上位レイヤ信号及び下りリンクスケジューリング割当てを移動端末装置にシグナリングする送信部と、
を具備し、
第１のキャリアと第２のキャリアによる上りリンク同時送信が許可されていない場合、前記移動端末装置において、第２のキャリアの上りリンクに割り当てた物理上りリンク共有チャネルによるＡＣＫ／ＮＡＣＫ及びチャネル品質報告の送信が、第１のキャリアの上りリンクに割り当てた物理上りリンク制御チャネルによるＡＣＫ／ＮＡＣＫ及びチャネル品質報告の送信よりも優先されることを特徴とする基地局装置。
【請求項１２】
第１の基地局装置との間では第１のキャリアを用いて通信し、第２の基地局装置との間では前記第１のキャリアとは異なる第２のキャリアを用いて通信する移動端末装置であって、
前記第１及び第２の基地局装置から下りリンク信号を受信する受信部と、
前記下りリンク信号に含まれる、上位レイヤ信号を含むデータ信号を復調するデータ復調部と、
前記下りリンク信号に含まれる、下りリンクスケジューリング割当て及び上りリンクスケジューリンググラントを含む下りリンク制御信号を復調する制御情報復調部と、
復調した上位レイヤ信号によって物理上りリンク共有チャネル用リソースを第２のキャリアに予約し、予約された物理上りリンク共有チャネル用リソースを復調した下りリンクスケジューリング割当てによって第２のキャリアに割り当てる割当部と、
復調した下りリンクスケジューリング割当てによってトリガされたチャネル品質報告を、第２のキャリアに割り当てられた前記物理上りリンク共有チャネル用リソースを用いて前記第２の基地局装置へ送信する送信部と、
を具備し、
前記移動端末装置は、第１のキャリアと第２のキャリアによる上りリンク同時送信が許可されていない場合、第２のキャリアの上りリンクに割り当てた物理上りリンク共有チャネルによるＡＣＫ／ＮＡＣＫ及びチャネル品質報告の送信を、第１のキャリアの上りリンクに割り当てた物理上りリンク制御チャネルによるＡＣＫ／ＮＡＣＫ及びチャネル品質報告の送信よりも優先することを特徴とする移動端末装置。
【請求項１３】
移動端末装置が、第１の基地局装置との間では第１のキャリアを用いて通信し、第２の基地局装置との間では前記第１のキャリアとは異なる第２のキャリアを用いて通信するように複数のキャリアを制御する通信方法であって、
前記第２の基地局装置において、前記移動端末装置にシグナリングする上位レイヤ信号によって第２のキャリアの少なくとも１つの物理上りリンク共有チャネル用リソースを通知するステップと、
前記第２の基地局装置において、前記移動端末装置にシグナリングする下りリンクスケジューリング割当てによってチャネル品質報告をトリガするステップと、
前記移動端末装置において、前記上位レイヤ信号を受けて前記物理上りリンク共有チャネル用リソースを第２のキャリアに予約するステップと、
前記移動端末装置において、下りリンクスケジューリング割当てによってトリガされたチャネル品質報告を、下りリンクスケジューリング割当てによって第２のキャリアに割り当てられた前記物理上りリンク共有チャネル用リソースを用いて前記第２の基地局装置へ送信するステップと、
を具備し、
前記移動端末装置は、第１のキャリアと第２のキャリアによる上りリンク同時送信が許可されていない場合、第２のキャリアの上りリンクに割り当てた物理上りリンク共有チャネルによるＡＣＫ／ＮＡＣＫ及びチャネル品質報告の送信を、第１のキャリアの上りリンクに割り当てた物理上りリンク制御チャネルによるＡＣＫ／ＮＡＣＫ及びチャネル品質報告の送信よりも優先することを特徴とする通信方法。
【発明の詳細な説明】
【技術分野】
【０００１】
本発明は、次世代移動通信システムにおける基地局装置、移動端末装置、通信システム及び通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ:Long  Term  Evolution）が検討されている（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
ＬＴＥシステムにおいて、上りリンク信号は適切な無線リソースにマッピングされて移動端末装置から無線基地局装置に送信される。具体的には、上りユーザデータは、上りリンク共有チャネル（ＰＵＳＣＨ：Physical  Uplink  Shared  Channel）を用いて送信される。また、上りリンク制御情報（ＵＣＩ：Uplink  Control  Information）は、上りユーザデータと共に送信する場合はＰＵＳＣＨを用いて、単独で送信する場合は上りリンク制御チャネル（ＰＵＣＣＨ：Physical  Uplink  Control  Channel）を用いて送信される。
【０００４】
上りリンク制御情報（ＵＣＩ）には、下りリンク共有チャネル（ＰＤＳＣＨ：Physical  Downlink  Shared  Channel）に対する送達確認（ＡＣＫ／ＮＡＣＫ）、スケジューリング要求、チャネル状態情報（ＣＳＩ：Channel  State  Information）等が含まれる（例えば、非特許文献２）。チャネル状態情報（以下、ＣＳＩという）は、下りリンクの瞬時のチャネル状態に基づく情報であり、例えば、チャネル品質情報（ＣＱＩ：Channel  Quality  Indicator）、プリコーディングマトリックス指標（ＰＭＩ）、ランク指標（ＲＩ）などである。このＣＳＩは、周期的又は非周期的に、移動端末装置から無線基地局装置に通知される。
【０００５】
一方、ＬＴＥからのさらなる広帯域化及び高速化を目的として、ＬＴＥの後継システムが検討されている（例えば、ＬＴＥアドバンスト又はＬＴＥエンハンスメントと呼ぶこともある（以下、「ＬＴＥ−Ａ」という）。ＬＴＥ−Ａ（Rel-10）においては、ＬＴＥシステムのシステム帯域を１単位とする複数のコンポーネントキャリア（CC:  Component  Carrier）を束ねて広帯域化することにより高いピークデータレートを実現する（キャリアアグリゲーション）。また、従来のマクロ基地局に加え、ピコ基地局、フェムト基地局、ＲＲＨ(Remote  Radio  Head)基地局などの送信電力の異なる様々な形態の基地局を配置するオーバレイ型ネットワーク（ＨｅｔＮｅｔ：Heterogeneous  Network）構成が検討されている。３GPPにおいて、ＨｅｔＮｅｔにおける干渉コーディネーション技術として、時間領域の干渉コーディネーション（eICIC:  enhanced  Inter-Cell  Interference  Coordination）の仕様化が行われ、システム容量のさらなる増大が図られた。
【先行技術文献】
【非特許文献】
【０００６】
【非特許文献１】3GPP,  TR  25.913“Requirements  for  Evolved  UTRA  and  Evolved  UTRAN”
【非特許文献２】3GPP,  TS36.212(V.9.3.0),  “Multiplexing  and  channel  coding”，  Nov．2010
【発明の概要】
【発明が解決しようとする課題】
【０００７】
ところで、将来のシステム（Rel-11以降）では、周波数利用効率の向上や、ＨｅｔＮｅｔにおける与干渉の低減を考慮したキャリアアグリゲーションが想定される。マクロ基地局ｅＮＢのコンポーネントキャリアをＰＣｅｌｌ（Primary  Cell）、ピコ基地局のコンポーネントキャリアをＳＣｅｌｌ（Secondary  Cell）としてキャリアアグリゲーションが行われる場合、ＵＣＩ送信用のＰＵＣＣＨはＰＣｅｌｌにのみ設定される。移動端末装置は定められた周波数単位ごとに下りチャネルの受信品質を示す指示子であるＣＱＩを測定し、測定したＣＱＩ情報をＰＵＣＣＨにより、基地局（evolved Node B)に報告する。したがって、移動端末装置がＳＣｅｌｌで受信したＰＤＳＣＨに対するＡＣＫ／ＮＡＣＫ、ＣＱＩは、ＰＣｅｌｌのＰＵＳＣＨ送信が無い場合には、ＰＣｅｌｌのＰＵＣＣＨのみを用いて送信される。
【０００８】
しかしながら、ＨｅｔＮｅｔにおけるキャリアアグリゲーションを想定した場合、ＳＣｅｌｌで受信するＰＤＳＣＨに対するＡＣＫ／ＮＡＣＫのデータ量が増大することが予想されるので、ＰＣｅｌｌのＰＵＣＣＨリソースが逼迫する可能性がある。ＰＣｅｌｌのＰＵＣＣＨリソースにおいてＡＣＫ／ＮＡＣＫとＣＱＩとが衝突した場合、ＡＣＫ／ＮＡＣＫが優先的に送信されるので、ＣＱＩがドロップする頻度が増大する可能性があり、ＳＣｅｌｌのＣＱＩがドロップする頻度が高いとＳＣｅｌｌに対するスケジューリング精度が低下する問題が生じる。
【０００９】
本発明はかかる点に鑑みてなされたものであり、ＨｅｔＮｅｔにおけるキャリアアグリゲーション時にＣＱＩがドロップする頻度を抑制でき、高効率にＵＣＩを送信可能な通信システム、基地局装置、移動端末装置及び通信方法を提供することを目的とする。
【課題を解決するための手段】
【００１０】
本発明の通信システムは、移動端末装置が、第１の基地局装置との間では第１のキャリアを用いて通信し、第２の基地局装置との間では前記第１のキャリアとは異なる第２のキャリアを用いて通信するように複数のキャリアを制御する通信システムであって、前記第２の基地局装置は、前記移動端末装置にシグナリングする上位レイヤ信号によって第２のキャリアの少なくとも１つの物理上りリンク共有チャネル用リソースを通知し、前記移動端末装置にシグナリングする下りリンクスケジューリング割当てによって第２のキャリアに物理下りリンク共有データチャネルを割当てると共に必要に応じてチャネル品質報告をトリガし、前記移動端末装置は、前記上位レイヤ信号によって通知された第２のキャリアの物理上りリンク共有チャネル用リソースを予約し、下りリンクスケジューリング割当てによって、第２のキャリアに予約された前記物理上りリンク共有チャネル用リソースを割当ててチャネル品質報告を前記第２の基地局装置へ送信し、前記移動端末装置は、第１のキャリアと第２のキャリアによる上りリンク同時送信が許可されていない場合、第２のキャリアの上りリンクに割り当てた物理上りリンク共有チャネルによるＡＣＫ／ＮＡＣＫ及びチャネル品質報告の送信を、第１のキャリアの上りリンクに割り当てた物理上りリンク制御チャネルによるＡＣＫ／ＮＡＣＫ及びチャネル品質報告の送信よりも優先することを特徴とする。
【００１１】
上記通信システムにおいて、前記移動端末装置は、前記下りリンクスケジューリング割当てによって割り当てられた物理下りリンク共有データチャネルに対するＡＣＫ／ＮＡＣＫと、当該下りリンクスケジューリング割当てによってトリガされたＣＱＩ報告とを含んだ上りリンク制御情報を、前記下りリンクスケジューリング割当てによって割り当てられた前記物理上りリンク共有チャネル用リソースを用いて前記第２の基地局装置へ送信する。
【発明の効果】
【００１２】
本発明によれば、ＨｅｔＮｅｔにおけるキャリアアグリゲーション時にＣＱＩがドロップする頻度を抑制でき、高効率にＵＣＩを送信できるシステムを構築できる。
【図面の簡単な説明】
【００１３】
【図１】ＬＴＥ−Ａシステムのシステム帯域の説明図である。
【図２】ＨｅｔＮｅｔにおけるキャリアアグリゲーションの一例を示す図である。
【図３】動的ＰＵＳＣＨリソースがトリガされる上りリンクのサブフレーム構成図である。
【図４】ＰＵＳＣＨリソースのトリガビット構成を示す図である。
【図５】周期的ＰＵＳＣＨリソースがトリガされる上りリンクのサブフレーム構成図である。
【図６】追加キャリアタイプのキャリアアグリゲーションにおける下りリンク及び上りリンクのキャリア構成図である。
【図７】ＳＣｅｌｌ及び又はＰＣｅｌｌにＰＵＳＣＨがトリガされたキャリア構成図である。
【図８】無線通信システムのシステム構成の説明図である。
【図９】基地局装置の全体構成の説明図である。
【図１０】移動端末装置の全体構成の説明図である。
【図１１】基地局装置が有するベースバンド信号処理部及び一部の上位レイヤの機能ブロック図である。
【図１２】移動端末装置が有するベースバンド信号処理部の機能ブロック図である。
【発明を実施するための形態】
【００１４】
図１は、ＬＴＥ−Ａで定められた階層型帯域幅構成を示す図である。図１に示す例は、複数のコンポーネントキャリア（基本周波数ブロック）で構成される第１システム帯域を持つＬＴＥ−Ａシステムと、１コンポーネントキャリアで構成される第２システム帯域を持つＬＴＥシステムとが併存する場合の階層型帯域幅構成である。ＬＴＥ−Ａシステムにおいては、例えば、１００ＭＨｚ以下の可変システム帯域幅で無線通信し、ＬＴＥシステムでは、２０ＭＨｚ以下の可変システム帯域幅で無線通信する。ＬＴＥ−Ａシステムのシステム帯域は、ＬＴＥシステムのシステム帯域を１単位とする少なくとも１つのコンポーネントキャリアとなっている。
【００１５】
例えば、図１においては、ＬＴＥ−Ａシステムのシステム帯域は、ＬＴＥシステムのシステム帯域（ベース帯域：２０ＭＨｚ）を１つのコンポーネントキャリアとする５つのコンポーネントキャリアの帯域を含むシステム帯域（２０ＭＨｚ×５＝１００ＭＨｚ）となっている。図１においては、移動端末装置ＵＥ（User  Equipment）＃１は、ＬＴＥ−Ａシステム対応（ＬＴＥシステムにも対応）の移動端末装置であり、１００ＭＨｚまでのシステム帯域に対応可能である。ＵＥ＃２は、ＬＴＥ−Ａシステム対応（ＬＴＥシステムにも対応）の移動端末装置であり、４０ＭＨｚ（２０ＭＨｚ×２＝４０ＭＨｚ）までのシステム帯域に対応可能である。ＵＥ＃３は、ＬＴＥシステム対応（ＬＴＥ−Ａシステムには対応せず）の移動端末装置であり、２０ＭＨｚ（ベース帯域）までのシステム帯域に対応可能である。
【００１６】
将来のシステム（Rel-11以降）では、ＨｅｔＮｅｔに特化したキャリアアグリゲーションの拡張が想定される。具体的には、図２に示すようなシステム構成が考えられる。図２は、ＨｅｔＮｅｔにおけるキャリアアグリゲーションの一例を示す図である。
【００１７】
図２Ａに示すシステムは、基地局ｅＮＢ（eNodeB）と複数の基地局（例えば、ＲＲＨ（Remote  Radio  Head））とにより階層的に構成されている。基地局ｅＮＢのセル内には、ＲＲＨにより局所的に小型セル（小送信電力）が形成されている。移動端末装置ＵＥは、ＲＲＨ＃１の小型セル内に位置し、基地局ｅＮＢ及びＲＲＨ＃１とキャリアアグリゲーションにより通信している。例えば、基地局ｅＮＢのコンポーネントキャリアＣＣ＃１をＰＣｅｌｌ、基地局装置ＲＲＨ＃１のコンポーネントキャリアＣＣ＃２をＳＣｅｌｌとしてキャリアアグリゲーションが行われる。
【００１８】
キャリアアグリゲーションを行うためには、移動端末装置ＵＥが基地局ｅＮＢに接続された状態で、異周波測定によってＲＲＨ（ＳＣｅｌｌ）を検出する。移動端末装置ＵＥは、同期信号であるＰＳＳ／ＳＳＳ（Primary  Synchronization  Signal/Secondary  Synchronization  Signal）で同期補足した後、ＣＲＳ（Cell-specific  Reference  Signal）により各ＲＲＨからの異周波の受信品質が測定される。そして、測定された各ＲＲＨからの信号品質と予め定められたターゲット値とが比較され、受信品質のよいＲＲＨ（ＳＣｅｌｌ）が検出される。
【００１９】
ところで、Ｒｅｌ−１１では、既存のキャリアアグリゲーションのコンポーネントキャリアとの互換性を有さないキャリアが検討されており、キャリアアグリゲーションを適用したＨｅｔＮｅｔに有効である。既存のコンポーネントキャリアとの互換性を有さないキャリアは、追加キャリアタイプ（Additional  carrier  type）と呼ばれてもよいし、拡張キャリア（extension  carrier）と呼ばれてもよい。
【００２０】
図２Ｂは、基地局ｅＮＢに割り当てたコンポーネントキャリアＣＣ＃１と、ＲＲＨに割り当てたコンポーネントキャリアＣＣ＃２とが共に既存キャリアタイプ（Legacy  carrier  type）に設定されている状態を示す。図２Ｃは、追加キャリアタイプを用いたキャリアアグリゲーションの一例を示す図である。基地局ｅＮＢに割り当てたＣＣ＃１は既存キャリアタイプに設定され、ＲＲＨに割り当てたコンポーネントキャリアＣＣ＃２は、追加キャリアタイプに設定されている。なお、図２Ｂ，Ｃにおいては、説明の便宜上、ＣＲＳ、ＰＤＣＣＨ、ＰＤＳＣＨのみ図示している。
【００２１】
図２Ｂに示すように、既存キャリアタイプには、ＬＴＥで規定される１リソースブロックの先頭から最大３シンボルにＰＤＣＣＨが設定されている。また、既存キャリアタイプには、１リソースブロックにおいてユーザデータやＤＭ−ＲＳ（Demodulation  −  Reference  Signal）等の他の参照信号と重ならないようにＣＲＳが設定されている。このＣＲＳは、ユーザデータの復調に用いられる他、スケジューリングや適応制御のための下りリンクのチャネル品質（CQI）測定、並びに、セルサーチやハンドオーバのための下りの平均的な伝搬路状態の測定（モビリティ測定）に用いられる。
【００２２】
これに対し、図２Ｃに示すように、追加キャリアタイプは、ＰＤＣＣＨ及びＣＲＳを無送信とすることができる。この追加キャリアタイプは、既存の移動端末装置（Rel-10以前）にはサポートされず、新規の移動端末装置ＵＥ（Rel-11以降）にのみサポートされる。また、追加キャリアタイプは、下り制御チャネル（PHICH、PCFICH）の無送信、報知情報（PBCH、Rel-8  SIB、Paging）の無送信とすることもできる。また、追加キャリアタイプは、主にＳＣｅｌｌで使用されることが想定されている。
【００２３】
なお、追加キャリアタイプは、ＣＲＳを無送信とする場合、例えば、データ復調にはユーザ個別のＤＭ−ＲＳを用い、ＣＳＩ測定にはＣＳＩ−ＲＳ（Channel  State  Information  −  Reference  Signal）を用いることもできる。また、追加キャリアタイプは、ＰＤＣＣＨを無送信とする場合、ＦＤＭ型ＰＤＣＣＨを送信してもよい。ＦＤＭ型ＰＤＣＣＨは、下りデータ信号用のＰＤＳＣＨ領域の所定の周波数帯域を拡張ＰＤＣＣＨ領域として使用する。この拡張ＰＤＣＣＨ領域に割り当てられたＦＤＭ型ＰＤＣＣＨは、ＤＭ−ＲＳを用いて復調される。なお、拡張ＰＤＣＣＨは、ＵＥ−ＰＤＣＣＨと呼ばれてもよい。
【００２４】
追加キャリアタイプは、ＰＤＣＣＨを無送信とする場合、クロスキャリアスケジューリング（Cross-carrier  scheduling）を利用することもできる。クロスキャリアスケジューリングとは、自キャリアの下り制御チャネルを別キャリアで送信する方法である。例えば、追加キャリアタイプのキャリアで下り制御チャネルを送信する代わりに、既存キャリアタイプのキャリアで下り制御チャネルを送信する。
【００２５】
追加キャリアタイプは、ＰＨＩＣＨ（Physical  Hybrid-ARQ  Indicator  Channel）を無送信とする場合には、下り制御情報（DCI：Downlink  Control  Information）で再送制御してもよい。追加キャリアタイプは、ＰＣＦＩＣＨ（Physical  Control  Format  Indicator  Channel）を無送信とする場合には、上位レイヤ信号（Higher  layer  signaling）によりＰＤＣＣＨに用いるＯＦＤＭシンボル数を通知してもよい。追加キャリアタイプは、報知情報を無送信とする場合には、既存キャリアタイプのキャリアから報知情報を送信してもよい。
【００２６】
なお、本実施の形態における追加キャリアタイプとして、ＣＲＳ、下り制御チャネルの無送信を例示したが、この構成に限定されない。例えば、追加キャリアタイプとしては、ＣＲＳ、下り制御チャネルの少なくとも１つを無送信又は一部の信号を減じた構成としてもよい。また、追加キャリアタイプの帯域幅は、ＬＴＥシステムのシステム帯域（ベース帯域：２０ＭＨｚ）を１単位とする必要はなく、適宜変更可能である。
【００２７】
本システムでは、既存キャリアタイプと追加キャリアタイプを用いたキャリアアグリゲーションを行うことでＣＲＳによる干渉が低減されている。すなわち、追加キャリアタイプではＣＲＳを無送信にできるため、隣接する基地局（ＲＲＨ等）からのＣＲＳの与干渉が抑えられ、例えばＰＣｅｌｌよりも受信品質の良いＳＣｅｌｌから下り信号を受信できる。また、ＣＲＳ及びＰＤＣＣＨリソースが空くので、そこに下りデータを送信する構成とすれば、周波数利用効率を改善できる。
【００２８】
移動端末装置において、受信品質の良いＳＣｅｌｌ（ＲＲＨ）が検出されている場合、上りリンクに対しても受信品質の良いそのＳＣｅｌｌから上りリンク信号（ＰＵＳＣＨ，ＰＵＣＣＨ）を送信することが望ましい。ところが、Ｒｅｌ−１０で規定されたキャリアアグリゲーションのメカニズムを適用した場合、ＵＣＩ（ＡＣＫ／ＮＡＣＫ，ＣＱＩ）は上りリンクＰＣｅｌｌのＰＵＣＣＨのみから送信される（上りリンクのＰＵＳＣＨがトリガされていないケース）。したがって、受信品質の良いＳＣｅｌｌ（ＲＲＨ）が検出されているとしても、上りリンクで送信されるＵＣＩ（ＡＣＫ／ＮＡＣＫ，ＣＱＩ）は基地局ｅＮＢで受信される。
【００２９】
本発明者らは、受信品質の良いセルの下りリンクで受信した下りリンク信号に対するＵＣＩ（ＡＣＫ／ＮＡＣＫ，ＣＱＩ）は、同じセルの上りリンクから送信するのが高効率化の観点から望ましいことに着目し、ＳＣｅｌｌ（ＵＬ）におけるＵＣＩ送信を実現する発明をするに至った。
【００３０】
本発明の骨子は、上位レイヤ信号により動的又は周期的にＰＵＳＣＨリソースをＳＣｅｌｌに確保し、下りリンクスケジューリング割当て（ＤＬ  assignment）により、ＳＣｅｌｌに先に確保していたＰＵＳＣＨリソースをトリガし、所定サブフレーム後のサブフレームにおいて上記トリガされたＰＵＳＣＨリソースを用いて、ＡＣＫ／ＮＡＣＫと共にＣＱＩを送信する。
【００３１】
図３を参照して、ＳＣｅｌｌに動的にＰＵＳＣＨリソースをトリガしてＵＣＩ送信する方法について説明する。
【００３２】
図３には動的にＰＵＳＣＨリソースがトリガされる上りリンクのサブフレーム構成が例示されている。移動端末装置が、基地局から送信される上位レイヤ信号を受けて、サブフレーム毎に複数のＰＵＳＣＨリソースをＳＣｅｌｌに予約する(図３（ａ）)。
【００３３】
ここで、ＰＵＳＣＨリソースを“予約する”とは、ＰＵＳＣＨリソースを“暫定的に確保する”又は“設定する”と言い換えても良い。ただし、サブフレーム毎に複数のＰＵＳＣＨリソースを予約しているが、あるサブフレームにおいて予約したＰＵＳＣＨリソースがトリガされなければ（ＵＣＩ送信に用いられない場合）、予約したＰＵＳＣＨリソースをデータ送信に用いることができる。
【００３４】
図３には１サブフレームにつき３つのＰＵＳＣＨリソースが予約された様子が示されている。予約ＰＵＳＣＨリソースは物理リソースブロック（ＰＲＢ）単位で構成されており、インデックス番号（ＰＲＢｉｎｄｅｘ１、ＰＲＢｉｎｄｅｘ２、ＰＲＢｉｎｄｅｘ３）で管理される。３つの予約ＰＵＳＣＨリソース（ＰＲＢｉｎｄｅｘ１、ＰＲＢｉｎｄｅｘ２、ＰＲＢｉｎｄｅｘ３）は複数の移動端末装置で共有しても良い。基地局は、移動端末装置において予約されているＰＵＳＣＨリソースを把握しているので、同一サブフレームにおいて複数の移動端末装置に対して予約ＰＵＳＣＨリソースをトリガする場合は、複数の予約ＰＵＳＣＨリソースの中から端末間で異なる予約ＰＵＳＣＨリソースをトリガする。
【００３５】
基地局（例えばＳＣｅｌｌ）は、移動端末装置へＰＤＳＣＨを送信するサブフレームにおいてＰＤＣＣＨ又はＥ−ＰＤＣＣＨで下りリンクスケジューリング割当てを送信する。基地局は、ＣＱＩ報告を要求する場合、下りリンクスケジューリング割当てにＵＣＩ送信用の予約ＰＵＳＣＨリソースに対応したインデックス番号を設定する。基地局は、予約ＰＵＳＣＨリソースに対応したインデックス番号が設定された下りリンクスケジューリング割当てをＰＤＣＣＨ又はＥ−ＰＤＣＣＨで移動端末装置へ送信する。予約ＰＵＳＣＨリソースのいずれかが下りリンクスケジューリング割当てのトリガビットによってトリガされてＳＣｅｌｌの上りリンクに割り当てられる。
【００３６】
ここで、ＣＱＩ報告はチャネル品質報告の一例であり、ＣＱＩ報告に限られない。例えば、チャネル品質報告の１つであるＣＳＩ（ＣＱＩ、ＰＭＩ、ＲＩ）報告のために、下りリンクスケジューリング割当てによって動的又は周期的にＰＵＳＣＨリソースをトリガしても良い。ＣＳＩ（ＣＱＩ、ＰＭＩ、ＲＩ）報告をトリガした場合は、ＡＣＫ／ＮＡＣＫとＣＳＩ報告とを同じＰＵＳＣＨリソースを用いて送信する。下りリンクスケジューリング割当てによってトリガしたＰＵＳＣＨを用いてＣＳＩとＡＣＫ／ＮＡＣＫを同一サブフレームで送信しても良い。
【００３７】
図４は下りリンクスケジューリング割当てに設定されるトリガビットの具体例である。トリガビット“０１”は、インデックス番号＝ＰＲＢｉｎｄｅｘ１に対応した予約ＰＵＳＣＨリソースを指定し、トリガビット“１０”は、インデックス番号＝ＰＲＢｉｎｄｅｘ２に対応した予約ＰＵＳＣＨリソースを指定し、トリガビット“１１”は、インデックス番号＝ＰＲＢｉｎｄｅｘ３に対応した予約ＰＵＳＣＨリソースを指定し、トリガビット“００”はＣＱＩをトリガしないことを意味している。図３に示す例では、トリガビットに“１０”が設定された下りリンクスケジューリング割当てによってインデックス番号＝ＰＲＢｉｎｄｅｘ２に対応した予約ＰＵＳＣＨリソースがＳＣｅｌｌの上りリンクに割り当てられるリソースとして選択されている。このように動的に割り当てられたＰＵＳＣＨリソースを用いてＵＣＩが送信される。トリガビットのビット数を３ビット以上にすれば、サブフレーム毎に４つ以上のＰＵＳＣＨリソースを動的に選択可能になる。
【００３８】
移動端末装置は、基地局（例えばＳＣｅｌｌ）から受信する下りリンクスケジューリング割当てに設定されたトリガビットによってＵＣＩ送信に用いられる予約ＰＵＳＣＨリソースの１つをトリガする(図３（ｂ）)。移動端末装置は、例えばＳＣｅｌｌで受信したサブフレームに含まれる下りリンクスケジューリング割当てに基づいてＰＤＳＣＨを復調し、ＰＤＳＣＨに対するＡＣＫ／ＮＡＣＫを生成すると共に、当該サブフレームにおける下りチャネルの受信品質を示すＣＱＩを測定する。移動端末装置は、動的ＰＵＳＣＨリソースをトリガする下りリンクスケジューリング割当てを検出したサブフレーム（例えばｎ番目のサブフレーム）から所定サブフレーム後のサブフレーム（例えば４サブフレーム後の（ｎ＋４）番目のサブフレーム）において、指定されたＰＵＳＣＨリソースを用いて、ＡＣＫ／ＮＡＣＫとＣＱＩを、下りリンクスケジューリング割当てを送信した基地局（例えば、ＲＲＨ）へ送信する(図３（ｃ）)。同図には、トリガビット“１０”によってＰＲＢｉｎｄｅｘ２に対応したＰＵＳＣＨリソースが動的に選択されている様子が示されている。
【００３９】
このように、ＵＣＩ送信に用いられるＰＵＳＣＨリソースを下りリンクスケジューリング割当てによって動的にトリガするので、上りリンクのデータトラヒックが無い場合でも使用可能である。基地局においてＣＱＩは下りリンクのスケジューリングに使用されるので、下りリンクのデータ（ＰＤＳＣＨ）があるところでＵＣＩ送信に用いられるＰＵＳＣＨリソースをトリガできれば十分である。下りリンクスケジューリング割当てによって復調されるＰＤＳＣＨが常に存在しているので、そのＰＤＳＣＨに対するＡＣＫ／ＮＡＣＫと一緒にＣＱＩを、動的にトリガしたＰＵＳＣＨリソースを用いて送信できる。上りリンクスケジューリンググラントを用いてもＰＵＳＣＨをトリガできるが、上りリンクのデータトラヒックが無い場合には、ＵＣＩ送信のためだけに上りリンクスケジューリンググラントを送信しなければならない。
【００４０】
また、全てのサブフレームに複数のＰＵＳＣＨリソースが暫定的に確保されるので、ＵＣＩ送信に用いられるサブフレームの制限を緩和できる。しかも、ＵＣＩ送信に用いられるＰＵＳＣＨリソースは暫定的に確保されているだけであるので、暫定的に確保されたＰＵＳＣＨリソースのうちＵＣＩ送信しないＰＵＳＣＨリソースは上りリンクのデータ送信に使用可能である。
【００４１】
図５を参照してＰＵＳＣＨリソースを周期的にトリガしてＵＣＩを送信する方法について説明する。
【００４２】
図５にはＰＵＳＣＨリソースが周期的にトリガされる上りリンクのサブフレーム構成が例示されている。移動端末装置において、ＰＵＳＣＨリソースが周期的（例えば１０サブフレーム間隔）に予約される。ＵＣＩ送信が発生すれば、周期的に予約されているＰＵＳＣＨリソースのいずれかをトリガし、トリガしたＰＵＳＣＨリソースを用いてＵＣＩ送信する。
【００４３】
基地局（例えばＳＣｅｌｌ）から送信する上位レイヤ信号により、移動端末装置が複数サブフレーム間隔で複数のＰＵＳＣＨリソースを周期的に予約する(図５（ａ）)。図５には上りリンクリソースに１サブフレームにつき３つのＰＵＳＣＨリソースが周期的に予約された様子が示されている。周期的ＰＵＳＣＨリソース（ＰＲＢｉｎｄｅｘ１、ＰＲＢｉｎｄｅｘ２、ＰＲＢｉｎｄｅｘ３）は複数の移動端末装置で共有しても良い。基地局は、周期的に予約されるＰＵＳＣＨリソースを把握しているので、同一サブフレームにおいて複数の移動端末装置に対して周期的ＰＵＳＣＨリソースをトリガする場合は、端末間で異なる周期的ＰＵＳＣＨリソースを複数の移動端末装置に指定する。
【００４４】
基地局（例えばＳＣｅｌｌ）は、移動端末装置へＰＤＳＣＨを送信するサブフレームにおいてＰＤＣＣＨ又はＥ−ＰＤＣＣＨで下りリンクスケジューリング割当てを送信する。この下りリンクスケジューリング割当てには、周期的ＰＵＳＣＨリソースに対応したインデックス番号、周期的ＰＵＳＣＨリソースをトリガするサブフレーム番号、周期的ＰＵＳＣＨリソースの時間方向の繰り返し周期を設定する。基地局は、周期的ＰＵＳＣＨリソースに対応したインデックス番号、サブフレーム番号、繰り返し周期が設定された下りリンクスケジューリング割当てをＰＤＣＣＨ又はＥ−ＰＤＣＣＨで移動端末装置へ送信する。サブフレーム番号又は繰り返し周期の一方を通知しても良い。
【００４５】
移動端末装置は、下りリンクスケジューリング割当てに設定されたトリガビットによってＵＣＩ送信に用いられる周期的ＰＵＳＣＨリソースがトリガされる(図５（ｂ）)。移動端末装置は、例えばＳＣｅｌｌのあるサブフレームに含まれる下りリンクスケジューリング割当てに基づいてＰＤＳＣＨを復調し、ＰＤＳＣＨに対するＡＣＫ／ＮＡＣＫを生成すると共に、当該サブフレームにおける下りチャネルの受信品質を示すＣＱＩを測定する。移動端末装置は、下りリンクスケジューリング割当てに含まれているインデックス番号、サブフレーム番号、繰り返し周期に基づいて（例えば１０サブフレーム間隔）に周期的ＰＵＳＣＨリソースを予約する。移動端末装置は、下りリンクスケジューリング割当てを検出したサブフレーム（例えばｎ番目のサブフレーム）から所定サブフレーム（例えば４サブフレーム）以降で最初に周期的ＰＵＳＣＨリソースが予約されているサブフレームにおいて、ＡＣＫ／ＮＡＣＫとＣＱＩを、周期的ＰＵＳＣＨリソースを用いて、下りリンクスケジューリング割当てを送信した基地局（例えばＲＲＨ）へ送信する(図５（ｃ）)。
【００４６】
図６Ａには既存のキャリアタイプ（Ｒｅｌ−８）を適用したＰＣｅｌｌと、追加キャリアタイプを適用したＳＣｅｌｌとが示されている。ＳＣｅｌｌに追加キャリアタイプが適用されている場合、ＳＣｅｌｌの下りリンクにおいて、Ｅ-ＰＤＣＣＨと当該Ｅ-ＰＤＣＣＨに基づいて復調されるＰＤＳＣＨとがＲＲＨから送信される。ＲＲＨが移動端末装置に対してＣＱＩを送信するための動的又は周期的ＰＵＳＣＨリソースをトリガする場合は、Ｅ-ＰＤＣＣＨに含まれる下りリンクスケジューリング割当てにトリガすべきＰＵＳＣＨリソースのインデックス番号を示すトリガビットが設定される。移動端末装置は、ＳＣｅｌｌの下りリンク信号を受信し、下りリンク信号に含まれるＥ-ＰＤＣＣＨを復調して下りリンクスケジューリング割当てを検出する。下りリンクスケジューリング割当てに基づいてＰＤＳＣＨを復調すると共に、ＰＤＳＣＨに対するＡＣＫ／ＮＡＣＫを生成する。また、下りリンクスケジューリング割当てによってＣＱＩ報告がトリガされていれば、所定の周波数単位で追加キャリアタイプにおける下りリンク信号のＣＱＩを測定する。このとき、下りリンクスケジューリング割当てにトリガビットが設定されていれば、トリガビットで指定されたＰＲＢｉｎｄｅｘの動的又は周期的ＰＵＳＣＨリソースがトリガされる。ＳＣｅｌｌの上りリンクにトリガされた動的又は周期的ＰＵＳＣＨリソースを用いてＣＱＩとＡＣＫ／ＮＡＣＫを送信する。
【００４７】
また、ＳＣｅｌｌに既存のキャリアタイプ（Ｒｅｌ−８）が適用される場合は、ＰＤＣＣＨに含まれる下りリンクスケジューリング割当てに動的又は周期的ＰＵＳＣＨリソースのインデックス番号を示すトリガビットが設定される。移動端末装置は、ＳＣｅｌｌの下り信号を受信してＰＤＣＣＨを復調し、下りリンクスケジューリング割当てにトリガビットが設定されていれば、トリガビットで指定されたＰＲＢｉｎｄｅｘの動的又は周期的ＰＵＳＣＨリソースをトリガする（ＰＲＢｉｎｄｅｘに対応したＰＵＳＣＨリソースの割当て）。
【００４８】
ところで、上記動的又は周期的ＰＵＳＣＨリソースをＳＣｅｌｌ又はＰＣｅｌｌのいずれか一方にだけ設定してもよいし、ＳＣｅｌｌとＰＣｅｌｌの両方に設定しても良い。ＨｅｔＮｅｔでは、ＰＣｅｌｌは主にカバレッジ確保の機能を担うのに対して、ＳＣｅｌｌはトラフィックが大きい局所における高伝送レートの実現が期待される。したがって、ＳＣｅｌｌが追加された状況ではＡＣＫ／ＮＡＣＫ等のＵＣＩ情報の増大が予想される。このため、ＨｅｔＮｅｔにおいてＳＣｅｌｌが追加された状況では、動的又は周期的ＰＵＳＣＨリソースをＳＣｅｌｌに対して設定することがＣＱＩドロップ頻度を抑制する観点から望ましい。また、既存のキャリアアグリゲーション用のＰＵＣＣＨフォーマットでは、ＡＣＫ／ＮＡＣＫとＣＱＩの同時送信をサポートしていないため，動的又は周期的ＰＵＳＣＨリソースを既存のＰＵＣＣＨと同様ＰＣelｌに設定することで、ＣＱＩドロップ頻度を抑制することができる。
【００４９】
ＳＣｅｌｌの上りリンクに動的又は周期的ＰＵＳＣＨリソースを予約する場合、移動端末装置に対してＳＣｅｌｌの追加を要請する上位レイヤ信号と一緒に予約する動的又は周期的ＰＵＳＣＨリソースのリソース情報をシグナリングすることが考えられる。事前に基地局と移動端末装置との間でＰＣｅｌｌによる通信が確立しており、その後に移動端末装置から報告されるＳＣｅｌｌの品質が閾値を超えていれば、上位レイヤ信号によって移動端末装置にＳＣｅｌｌを追加する。このとき、移動端末装置に対してＳＣｅｌｌの追加を要請する上位レイヤ信号に動的又は周期的ＰＵＳＣＨリソースのリソース情報（ＰＲＢｉｎｄｅｘ、サブフレーム番号、周期のいずれか又は全て）を含める。
【００５０】
ＳＣｅｌｌおよびＰＣｅｌｌの両方に動的又は周期的ＰＵＳＣＨリソースを設定する場合、ＳＣｅｌｌとＰＣｅｌｌとで独立のリソース（例えば、異なるＰＲＢｉｎｄｅｘ）を用いても良いし、システム帯域幅が同じ場合（例えば、ＰＣｅｌｌとＳＣｅｌｌのＲＢ数が同じ、例えば、各５０ＲＢ）、共通のリソース（例えば、ＰＣｅｌｌとＳＣｅｌｌ共にＰＲＢ＃０−４９）を用いても良い。移動端末装置は、ＰＣｅｌｌおよびＳＣｅｌｌの上りリンクに動的又は周期的ＰＵＳＣＨリソースを確保し、ＰＣｅｌｌで受信したＰＤＳＣＨに対するＡＣＫ／ＮＡＣＫおよびＣＱＩ等のＵＣＩをＰＣｅｌｌにトリガされた動的又は周期的ＰＵＳＣＨリソース又はＰＵＣＣＨリソースを用いて送信し、ＳＣｅｌｌで受信したＰＤＳＣＨに対するＡＣＫ／ＮＡＣＫおよびＣＱＩ等のＵＣＩをＳＣｅｌｌにトリガされた動的又は周期的ＰＵＳＣＨリソースを用いて送信する。
【００５１】
また、ＣＱＩがトリガされないでＡＣＫ／ＮＡＣＫだけを上りリンクで送信する際に、上りスケジューリンググラントでトリガされるＰＵＳＣＨが存在しない状況が発生し得る。かかる場合に、ＡＣＫ／ＮＡＣＫだけを上りリンクで送信するリソースとして上記動的又は周期的ＰＵＳＣＨリソースを用いることができる。例えば、ＣＱＩをトリガしない場合に、ＳＣｅｌｌのＰＤＣＣＨ又はＥ-ＰＤＣＣＨで移動端末装置へ動的又は周期的ＰＵＳＣＨリソースをトリガする下りリンクスケジューリング割当てを送信する。これにより、移動端末装置はＳＣｅｌｌにトリガされた動的又は周期的ＰＵＳＣＨリソースを用いてＡＣＫ／ＮＡＣＫを送信できる。
【００５２】
また、ＡＣＫ／ＮＡＣＫだけを上りリンクで送信するリソースとしてＰＣｅｌｌのＰＵＣＣＨ又はＳＣｅｌｌのＰＵＣＣＨを用いても良い(図６Ｂ)。ＰＤＳＣＨがＳＣｅｌｌの下りリンクのみから送信される場合に、ＳＣｅｌｌにおいてＰＵＣＣＨが定義されていれば，それを用い、定義されていない場合は、ＰＣｅｌｌを用いても良い。ＣＱＩをトリガしない場合，このようにＰＵＣＣＨで送信するか，動的又は周期的ＰＵＳＣＨリソースを用いてＡＣＫ／ＮＡＣＫで送信するかは、仕様で規定する必要がある。
【００５３】
ＰＤＳＣＨが下りリンクのＰＣｅｌｌからのみ送信される場合は、ＰＣｅｌｌの上りリンクからＰＵＣＣＨ（フォーマット１ａ／１ｂ）を送信する。ＰＣｅｌｌのＰＵＣＣＨ（フォーマット１ａ／１ｂ）を用いてＡＣＫ／ＮＡＣＫを送信する。
【００５４】
また、ＰＤＳＣＨが下りリンクのＳＣｅｌｌからのみ送信される場合は、ＳＣｅｌｌの上りリンクからＰＵＣＣＨ（フォーマット１ａ／１ｂ）を送信する。ＳＣｅｌｌのＰＵＣＣＨ（フォーマット１ａ／１ｂ）を用いてＡＣＫ／ＮＡＣＫを送信する。
【００５５】
また、下りリンクのＰＣｅｌｌとＳＣｅｌｌの両方からＰＤＳＣＨが送信される場合は、キャリアアグリゲーションＰＵＣＣＨフォーマットを用いて上りリンクＰＣｅｌｌ又は上りリンクＳＣｅｌｌのいずれかからＵＣＩを送信する。どちらのセルを使用するかを上位レイヤ信号によって移動端末装置に通知する。
【００５６】
このように、必ず一方のセルからＵＣＩ送信することによりＵＣＩの同時送信を排除できる。
【００５７】
ＰＵＣＣＨ，ＰＵＳＣＨの同時送信の能力が不可の場合のＵＣＩ送信チャネルの優先度について説明する。
【００５８】
図７Ａに示すように、ＰＣｅｌｌの上りリンクにＰＵＣＣＨが設定されていて、ＳＣｅｌｌの上りリンクに動的又は周期的ＰＵＳＣＨが設定されている場合は、ＳＣｅｌｌの動的又は周期的ＰＵＳＣＨを優先的に用いて、ＰＣｅｌｌおよびＳＣｅｌｌのＵＣIを送信する。これはＰＵＣＣＨリソースに比べてＰＵＳＣＨリソースの方が多くのビットデータを送信できるからである。予め仕様によってＳＣｅｌｌの動的又は周期的ＰＵＳＣＨが優先することを規定しておく。Ｒｅｌ−１０では、ＰＣｅｌｌのセル番号は“０”であり、ＳＣｅｌｌのセル番号は“１”“２”…と順番に大きくなる。
【００５９】
また、ＰＵＳＣＨ，ＰＵＳＣＨの同時送信の能力が有効の場合のＵＣＩ送信チャネルの優先度について説明する。
【００６０】
図７Ｂに示すように、ＰＣｅｌｌの上りリンクに動的又は周期的ＰＵＳＣＨが設定されていて、ＳＣｅｌｌの上りリンクに動的又は周期的ＰＵＳＣＨが設定されている場合は、１）セル番号の若い方を優先する、２）上位レイヤ信号によって動的又は周期的ＰＵＳＣＨを移動端末装置に通知する際にＳＣｅｌｌの動的又は周期的ＰＵＳＣＨの優先度を併せて通知する、という方法が考えられる。上記１）の方法によれば、ＰＣｅｌｌの動的又は周期的ＰＵＳＣＨの優先度が最も高いので、ＰＣｅｌｌおよびＳＣｅｌｌのＵＣＩ送信をＰＣｅｌｌに集中させて同時送信による負荷を軽減できる。２）の方法によれば、動的又は周期的ＰＵＳＣＨを設定する際の環境に応じて優先度を選択でき柔軟性の高いシステム設計が可能になる。
【００６１】
次に、同一サブフレームにおいて、上りスケジューリンググラントでＰＵＳＣＨを割当て、下りスケジューリング割当てでＰＤＳＣＨを割当てが行われる場合に望まし対応について説明する。
【００６２】
ＣＱＩ報告を、上りリンクスケジューリンググラント及び下りリンクスケジューリング割当てで、共にトリガしていない場合は、上りリンクスケジューリンググラントによってトリガされたＰＵＳＣＨを用いてＡＣＫ／ＮＡＣＫを送信する。
【００６３】
ＣＱＩ報告を、上りリンクスケジューリンググラントではトリガしているが、下りリンクスケジューリング割当てではトリガしていない場合は、上りスケジューリンググラントにしたがってトリガされたＰＵＳＣＨを用いてＵＣＩ（ＡＣＫ／ＮＡＣＫ＋ＣＱＩ）を送信する。
【００６４】
上りリンクスケジューリンググラントによりＰＵＳＣＨに割り当てがある場合は、そのＰＵＳＣＨはスケジューリングに基づきチャネル品質の良いＰＲＢで送信されるため、そのＰＵＳＣＨで送信することが望ましい。
【００６５】
一方、ＣＱＩ報告を、上りリンクスケジューリンググラントではトリガしていないが、下りリンクスケジューリング割当てでトリガしている場合は、誤設定として扱う。また、ＣＱＩ報告を、上りリンクスケジューリンググラント及び下りリンクスケジューリング割当てで、共にトリガする場合も誤設定として扱う。
【００６６】
これは、上りリンクスケジューリンググラントによりＰＵＳＣＨに割り当てがあるときに、下りリンクスケジューリング割当てでトリガーされたＣＱＩ報告を許容すると、上りリンクスケジューリンググラントでトリガしているＰＵＳＣＨの送信とは別に、ＣＱＩ報告用のＰＵＳＣＨ送信が生じることになりｍ２つのＰＵＳＣＨ送信（マルチキャリア送信）が同一サブフレームで生じてしまう問題が生じる。上りリンクではピーク電力の観点からシングルキャリア送信が望ましく、上記マルチキャリア送信は好ましくない。
【００６７】
ここで、本実施の形態に係る無線通信システムについて詳細に説明する。図８は、本実施の形態に係る無線通信システムのシステム構成の説明図である。なお、図８に示す無線通信システムは、例えば、ＬＴＥシステム或いは、その後継システムが包含されるシステムであり、上述した機能をサポートする。この無線通信システムでは、ＬＴＥシステムのシステム帯域を１単位とする複数の基本周波数ブロックを一体としたキャリアアグリゲーションが用いられている。また、この無線通信システムは、ＩＭＴ−Ａｄｖａｎｃｅｄと呼ばれても良いし、４Ｇと呼ばれても良い。
【００６８】
図８に示すように、無線通信システムは、ＨｅｔＮｅｔであり、セルＣ１の基地局装置（第１の基地局装置）２０Ａと、セルＣ１内に設けられたセルＣ２の複数の基地局装置（第２の基地局装置）２０Ｂとにより階層型ネットワークが構築されている。基地局装置２０Ａは、いわゆるマクロ基地局装置であり、大型のセルＣ１をカバーしている。基地局装置２０Ｂは、いわゆるＲＲＨ基地局装置であり、セルＣ１内に局所的に小型のセルＣ２を形成している。基地局装置２０Ａと各基地局装置２０Ｂとは、有線接続又は無線接続により相互に接続されている。移動端末装置１０は、セルＣ１、Ｃ２においてそれぞれ基地局装置２０Ａ、２０Ｂと通信を行うことができる。また、基地局装置２０Ａは、上位局装置を介してコアネットワーク３０に接続されている。
【００６９】
なお、上位局装置には、例えば、アクセスゲートウェイ装置、無線ネットワークコントローラ（ＲＮＣ）、モビリティマネジメントエンティティ（ＭＭＥ）等が含まれるが、これに限定されない。各移動端末装置１０は、既存の移動端末装置（Rel-10以前）及び新規の移動端末装置（Rel-11以降）を含むが、以下においては、主に新規の移動端末装置（Rel-11以降）として説明を進める。また、説明の便宜上、基地局装置２０Ａ、２０Ｂと無線通信するのは各移動端末装置１０であるものとして説明するが、より一般的には移動端末装置も固定端末装置も含むユーザ装置（ＵＥ：User  Equipment）でよい。
【００７０】
この無線通信システムでは、ＨｅｔＮｅｔに適したキャリアアグリゲーションに対応している。この場合、移動端末装置１０は、基地局装置２０Ａ（ＰＣｅｌｌ）に接続した状態で、各基地局装置２０Ｂからの下り信号を受信する。移動端末装置１０は、下り信号に基づいて各基地局装置２０Ｂからの信号品質を測定し、測定結果を基地局装置２０Ａにフィードバックする。そして、基地局装置２０Ａは、移動端末装置１０からのフィードバックに応じて、受信品質のよい基地局装置２０ＢをＳＣｅｌｌとして検出し、キャリアアグリゲーションを実施する。
【００７１】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００７２】
ここで、通信チャネルについて説明する。下りリンクの通信チャネルは、各移動端末装置１０で共有されるＰＤＳＣＨと、下りＬ１／Ｌ２制御チャネル（PDCCH、PCFICH、PHICH）とを有する。ＰＤＳＣＨにより、ユーザデータ及び上位制御情報が伝送される。ＰＤＣＣＨにより、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【００７３】
上りリンクの通信チャネルは、各移動端末装置で共有される上りデータチャネルとしてのＰＵＳＣＨと、上りリンクの制御チャネルであるＰＵＣＣとを有する。このＰＵＳＣＨにより、ユーザデータや上位制御情報が伝送される。また、ＰＵＣＣＨにより、下りリンクのＣＱＩ、ＡＣＫ/ＮＡＣＫ等が伝送される。
【００７４】
図９を参照しながら、本実施の形態に係る基地局装置２０Ａ、２０Ｂの全体構成について説明する。なお、基地局装置２０Ｂではベースバンド処理が行われず、基地局装置２０Ｂは、基地局装置２０Ａからベースバンド信号を受信して移動端末装置１０に通知している。
【００７５】
基地局装置２０Ａは、送受信アンテナ２０１Ａと、アンプ部２０２Ａと、送受信部２０３Ａと、ベースバンド信号処理部２０４Ａと、呼処理部２０５Ａと、伝送路インターフェース２０６Ａとを備えている。また、基地局装置２０Ｂは、送受信アンテナ２０１Ｂと、アンプ部２０２Ｂと、送受信部２０３Ｂとを備えている。下りリンクにより基地局装置２０Ａ、Ｂから移動端末装置１０に送信される送信データは、上位局装置から伝送路インターフェース２０６Ａを介してベースバンド信号処理部２０４Ａに入力される。
【００７６】
ベースバンド信号処理部２０４Ａにおいて、下りデータチャネルの信号は、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われる。また、下りリンク制御チャネルの信号に関しても、チャネル符号化や逆高速フーリエ変換等の送信処理が行われる。
【００７７】
また、ベースバンド信号処理部２０４Ａは、報知チャネルにより、同一セルに接続する移動端末装置１０に対して、各移動端末装置１０が基地局装置２０Ａ、２０Ｂとの無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）等が含まれる。
【００７８】
この場合、ベースバンド信号処理部２０４Ａから送受信部２０３Ａには、ＰＣｅｌｌのコンポーネントキャリアＣＣ＃１に対応したベースバンド信号が出力され、ベースバンド信号処理部２０４Ａから基地局装置２０Ｂの送受信部２０３Ｂには、光ファイバーを通してＳＣｅｌｌのコンポーネントキャリアＣＣ＃２に対応したベースバンド信号が出力される。送受信部２０３Ａ、２０３Ｂは、ベースバンド信号処理部２０４Ａから出力されたベースバンド信号を無線周波数帯に変換する。アンプ部２０２Ａ、２０２Ｂは、周波数変換された無線周波数信号を増幅して送受信アンテナ２０１Ａ、２０１Ｂにより送信する。
【００７９】
一方、上りリンクにより移動端末装置１０から基地局装置２０Ａ、２０Ｂに送信されるデータについては、基地局装置２０Ａ、２０Ｂの各送受信アンテナ２０１Ａ、２０１Ｂで受信された無線周波数信号がアンプ部２０２Ａ、２０２Ｂで増幅され、送受信部２０３Ａ、２０３Ｂで周波数変換されてベースバンド信号に変換され、ベースバンド信号処理部２０４Ａに入力される。
【００８０】
ベースバンド信号処理部２０４Ａにおいては、入力されたベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理がなされる。ベースバンド信号は伝送路インターフェース２０６Ａを介して上位局装置に転送される。呼処理部２０５Ａは、通信チャネルの設定や解放等の呼処理や、基地局装置２０Ａ、２０Ｂの状態管理や、無線リソースの管理を行う。
【００８１】
次に、図１０を参照しながら、本実施の形態に係る移動端末装置の全体構成について説明する。移動端末装置１０は、送受信アンテナ１０１と、アンプ部１０２と、送受信部１０３（受信部）と、ベースバンド信号処理部１０４と、アプリケーション部１０５とを備えている。
【００８２】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報もアプリケーション部１０５に転送される。
【００８３】
一方、上りリンクの送信データについては、アプリケーション部１０５からベースバンド信号処理部１０４に入力される。ベースバンド信号処理部１０４においては、マッピング処理、再送制御（Ｈ−ＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２で増幅されて送受信アンテナ１０１より送信される。
【００８４】
図１１は、本実施の形態に係る基地局装置２０Ａが有するベースバンド信号処理部２０４Ａ及び一部の上位レイヤの機能ブロック図であり、主にベースバンド信号処理部２０４Ａの送信処理の機能ブロックを示している。基地局装置２０Ａの配下となる移動端末装置１０に対する送信データが上位局装置から基地局装置２０Ａに対して転送される。
【００８５】
なお、図１１では、基地局装置２０Ａを例示している。また、基地局装置２０Ａは、２個のコンポーネントキャリアＣＣ＃１、ＣＣ＃２のキャリアアグリゲーションに対応可能な構成を示している。もちろん、各基地局装置２０が用いるＣＣ数はこれに限られない。また、基地局装置２０Ａに割り当てられるコンポーネントキャリＣＣ＃１には、既存キャリアタイプが設定され、コンポーネントキャリアＣＣ＃２には、追加キャリアタイプが設定されているものとする。
【００８６】
制御情報生成部３００は、上位レイヤシグナリングにより移動端末装置１０に通知する上位制御情報をユーザ単位で生成する。上位制御情報には、コンポーネントキャリアＣＣ＃１、ＣＣ＃２の上りリンクに動的又は周期的ＰＵＳＣＨを予約するためのリソース情報（例えば、周期的ＰＵＳＣＨを予約する場合は、ＰＲＢｉｎｄｅｘ、サブフレーム番号、周期）が含まれる。
【００８７】
データ生成部３０１は、上位局装置から転送された送信データをユーザ毎にユーザデータとして出力する。コンポーネントキャリア選択部３０２は、移動端末装置１０との無線通信に使用されるコンポーネントキャリアを移動端末装置１０毎に選択する。キャリアアグリゲーションする場合には、基地局装置２０ＡのコンポーネントキャリアＣＣ＃１をＰＣｅｌｌとし、光ファイバー３１９を介してＳＣｅｌｌを他の基地局装置２０Ｂから選択する。基地局装置２０Ａから移動端末装置１０に対して上位レイヤシグナリングによりコンポーネントキャリアの追加／削減を通知し、移動端末装置１０から適用完了メッセージを受信する。
【００８８】
スケジューリング部３１０は、システム帯域全体の通信品質に応じて、配下の移動端末装置１０に対するコンポーネントキャリアの割当てを制御する。スケジューリング部３１０は、ＬＴＥ端末ユーザとＬＴＥ−Ａ端末ユーザとを区別してスケジューリングを行う。スケジューリング部３１０は、上位局装置から送信するデータ及び再送指示が入力されると共に、上りリンクの信号を測定した受信部からチャネル推定値やリソースブロックのＣＱＩが入力される。
【００８９】
また、スケジューリング部３１０は、入力された再送指示、チャネル推定値及びＣＱＩを参照しながら、下りリンク制御チャネル信号及び下りリンク共有チャネル信号のスケジューリングを行う。無線通信における伝搬路は、周波数選択性フェージングにより周波数毎に変動が異なる。そこで、スケジューリング部３１０は、各移動端末装置１０への下りデータについて、サブフレーム毎に通信品質の良好なリソースブロック（マッピング位置）を指示する（適応周波数スケジューリングと呼ばれる）。適応周波数スケジューリングでは、各リソースブロックに対して伝搬路品質の良好な移動端末装置１０を選択する。そのため、スケジューリング部３１０は、移動端末装置１０からフィードバックされるリソースブロック毎のＣＱＩを用いてリソースブロック（マッピング位置）を指示する。
【００９０】
同様に、スケジューリング部３１０は、適応周波数スケジューリングによってＰＤＣＣＨ（又はＥ−ＰＤＣＣＨ）で送信される制御情報等について、サブフレーム毎に通信品質の良好なリソースブロックを指示する。このため、スケジューリング部３１０は、各移動端末装置１０からフィードバックされるリソースブロック毎のＣＱＩを用いてリソースブロック（マッピング位置）を指示する。また、割当てたリソースブロックで所定のブロック誤り率を満たすＭＣＳ（符号化率、変調方式）を決定する。スケジューリング部３１０が決定したＭＣＳ（符号化率、変調方式）を満足するパラメータがチャネル符号化部３０３、３０８、変調部３０４、３０９に設定される。なお、適用周波数スケジューリングは、基地局装置２０Ａに対してだけでなく、光ファイバー３１９を介して、基地局装置２０Ｂに対しても行われる。
【００９１】
また、ベースバンド信号処理部２０４Ａは、１コンポーネントキャリア内での最大ユーザ多重数Ｎに対応したチャネル符号化部３０３、変調部３０４、マッピング部３０５を備えている。チャネル符号化部３０３は、データ生成部３０１から出力される下りデータ（一部の上位制御信号を含む）で構成される下り共有データチャネル（ＰＤＳＣＨ）を、ユーザ毎にチャネル符号化する。変調部３０４は、チャネル符号化されたユーザデータをユーザ毎に変調する。マッピング部３０５は、変調されたユーザデータを無線リソースにマッピングする。
【００９２】
また、ベースバンド信号処理部２０４Ａは、下り制御情報を生成する下り制御情報生成部３０６と、チャネル符号化部３０８と、変調部３０９とを備える。下り制御情報生成部３０６において、上り共有データチャネル用制御情報生成部３０６ｂは、上りデータチャネル（ＰＵＳＣＨ）を制御するための上りスケジューリンググラント（UL  Grant）を生成する。当該上りスケジューリンググラントは、ユーザ毎に生成される。
【００９３】
また、下り共有データチャネル用制御情報生成部３０６ｃは、下りデータチャネル（ＰＤＳＣＨ）を制御するための下りスケジューリング割当て（DL  assignment）を生成する。当該下りスケジューリング割当ては、ユーザ毎に生成される。基地局装置２０Ｂ宛のベースバンド信号処理部２０４Ａ（ＣＣ＃２）は、ＳＣｅｌｌにおいて動的又は周期的ＰＵＳＣＨをトリガする場合は、下りスケジューリング割当てに図４に基づいたトリガビットを設定する。移動端末装置１０に対してＣＱＩ報告をトリガするタイミングで、下りスケジューリング割当てにトリガビットを設定する。例えば、図３に示すようにＰＲＢｉｎｄｅｘ２に対応したＰＵＳＣＨリソースを用いてＵＣＩ送信する場合は、トリガビットとして“１０”を設定する。ＵＣＩ送信のための用いられる動的又は周期的ＰＵＳＣＨをトリガしない場合はトリガビットとして“００”を設定する。また、ＰＣｅｌｌにおいて動的又は周期的ＰＵＳＣＨをトリガする場合は、下りスケジューリング割当てに図４に基づいてトリガビットが設定される。移動端末装置１０に対してＣＱＩ報告をトリガするタイミングで、下りスケジューリング割当てにトリガビットを設定する。例えば、図３に示すようにＰＲＢｉｎｄｅｘ２に対応したＰＵＳＣＨリソースを用いてＵＣＩ送信する場合は、トリガビットとして“１０”を設定する。ＣＩＵ送信のための用いられる動的又は周期的ＰＵＳＣＨをトリガしない場合はトリガビットとして“００”を設定する。また、共通チャネル用制御情報生成部３０６ａは、ユーザ共通の下り制御情報である共通制御チャネル用制御情報を生成する。
【００９４】
変調部３０９でユーザ毎に変調された制御情報は、制御チャネル多重部３１４で多重され、さらにインタリーブ部３１５でインタリーブされる。インタリーブ部３１５から出力される制御信号及びマッピング部３０５から出力されるユーザデータは下りチャネル信号としてＩＦＦＴ部３１６へ入力される。
【００９５】
ＩＦＦＴ部３１６には、下りチャネル信号として、インタリーブ部３１５から制御信号が入力され、マッピング部３０５からユーザデータが入力される。また、ＩＦＦＴ部３１６には、下り参照信号がさらに入力される。下り参照信号には、チャネル推定用のＣＲＳ、下りリンク復調用のＤＭ−ＲＳ、ＣＳＩ測定用のＣＳＩ−ＲＳを生成してもよい。ＩＦＦＴ部３１６は、下りチャネル信号及び下り参照信号を逆高速フーリエ変換して周波数領域の信号から時系列の信号に変換する。サイクリックプレフィックス挿入部３１７は、下りチャネル信号の時系列信号にサイクリックプレフィックスを挿入する。なお、サイクリックプレフィクスは、マルチパス伝搬遅延の差を吸収するためのガードインターバルとして機能する。サイクリックプレフィックスが付加された送信データは、送受信部２０３Ａ、２０３Ｂに送出される。
【００９６】
なお、コンポーネントキャリアＣＣ＃２において、全サブフレームが追加キャリアタイプに設定されてもよいし、所定のサブフレームが追加キャリアタイプに設定され、残りのサブフレームが既存キャリアタイプに設定されてもよい。この場合、基地局装置２０Ｂに割り当てるコンポーネントキャリアＣＣ＃２に新規の移動端末装置（Rel-11以降）だけでなく、既存キャリアタイプの期間には既存の移動端末装置（Rel-10以前）を接続させることができる。
【００９７】
図１２は、移動端末装置１０のベースバンド信号処理部１０４の機能ブロック図であり、追加キャリアタイプをサポートするＬＴＥ-Ａ端末の機能ブロックを示している。
【００９８】
基地局装置２０Ａ、２０Ｂから受信データとして受信された下りリンク信号は、ＣＰ除去部４０１でＣＰが除去される。ＣＰが除去された下りリンク信号は、ＦＦＴ部４０２へ入力される。ＦＦＴ部４０２は、下りリンク信号を高速フーリエ変換（FFT：Fast  Fourier  Transform）して時間領域の信号から周波数領域の信号に変換し、デマッピング部４０３へ入力する。デマッピング部４０３は、下りリンク信号をデマッピングし、下りリンク信号から複数の制御情報が多重された多重制御情報、ユーザデータ、上位制御信号を取り出す。なお、デマッピング部４０３によるデマッピング処理は、アプリケーション部１０５から入力される上位制御信号に基づいて行われる。デマッピング部４０３から出力された多重制御情報は、デインタリーブ部４０４でデインタリーブされる。
【００９９】
また、ベースバンド信号処理部１０４は、下り制御情報を復調する下り制御情報復調部４０５、下り共有データを復調するデータ復調部４０６、チャネル推定部４０７、受信品質測定部（測定部）４０８、割当部４０９を備えている。なお、割当部４０９は後述するようにベースバンド信号処理部１０４に含まれない構成も可能である。また、下り制御情報復調部４０５は、多重された制御情報から共通制御チャネル用制御情報を復調する共通チャネル用制御情報復調部４０５ａと、多重された制御情報から上り共有データチャネル用制御情報を復調する上り共有データチャネル用制御情報復調部４０５ｂと、多重された制御情報から下り共有データチャネル用制御情報を復調する下り共有データチャネル用制御情報復調部４０５ｃとを備えている。
【０１００】
共通チャネル用制御情報復調部４０５ａは、下りリンク制御チャネル（ＰＤＣＣＨ）の共通サーチスペースのブラインドデコーディング処理、復調処理、チャネル復号処理などによりユーザ共通の制御情報である共通制御チャネル用制御情報を取り出す。共通制御チャネル用制御情報は、下りリンクのチャネル品質情報（ＣＱＩ）を含んでおり、マッピング部４１５に入力され、基地局装置２０への送信データの一部としてマッピングされる。
【０１０１】
上り共有データチャネル用制御情報復調部４０５ｂは、下りリンク制御チャネル（ＰＤＣＣＨ）のユーザ個別サーチスペースのブラインドデコーディング処理、復調処理、チャネル復号処理などにより上り共有データチャネル用制御情報（例えば、UL  Grant）を取り出す。復調された上り共有データチャネル用制御情報は、マッピング部４１５に入力されて、上り共有データチャネル（ＰＵＳＣＨ）の制御に使用される。
【０１０２】
下り共有データチャネル用制御情報復調部４０５ｃは、下りリンク制御チャネル（ＰＤＣＣＨ）のユーザ個別サーチスペースのブラインドデコーディング処理、復調処理、チャネル復号処理などによりユーザ固有の下り共有データチャネル用制御情報（例えば、下りリンクスケジューリング割当て）を取り出す。下りリンクスケジューリング割当てに、ＰＵＳＣＨトリガビットが設定される。復調された下り共有データチャネル用制御情報は、データ復調部４０６へ入力されて、下り共有データチャネル（ＰＤＳＣＨ）の制御に使用される。
【０１０３】
データ復調部４０６は、ユーザデータ及び上位制御信号を復調する下り共有データ復調部４０６ａと、下り共通チャネルデータを復調する下り共通チャネルデータ復調部４０６ｂとを備えている。
【０１０４】
下り共有データ復調部４０６ａは、下り共有データチャネル用制御情報復調部４０５ｃから入力された下り共有データチャネル用制御情報に基づいて、ユーザデータや上位制御情報を取得する。上位制御情報に含まれるＳＣｅｌｌを追加する要請によって追加キャリアタイプのＳＣｅｌｌを追加する。このとき、上位制御情報に動的又は周期的ＰＵＳＣＨリソースのリソース情報が含まれていれば、リソース情報にしたがって動的又は周期的ＰＵＳＣＨリソースを予約する。図４に示す例では、ＰＲＢｉｎｄｅｘ１，２，３のＰＵＳＣＨリソースが予約されている。
【０１０５】
下り共通チャネルデータ復調部４０６ｂは、上り共有データチャネル用制御情報復調部４０５ｂから入力された上り共有データチャネル用制御情報に基づいて、下り共通チャネルデータを復調する。この場合、データ復調部４０６は、コンポーネントキャリアのキャリアタイプに応じてレートマッチングパターンを切り替えてデレートマッチングする。例えば、追加キャリアタイプのコンポーネントキャリアでは、ＣＲＳやＰＤＣＣＨ用のリソースに割り当てられたユーザデータを考慮して適切に復調処理が行われる。
【０１０６】
チャネル推定部４０７は、ユーザ固有の参照信号（ＤＭ−ＲＳ）、またはセル固有の参照信号（ＣＲＳ）を用いてチャネル推定する。既存キャリアタイプのサブフレームを復調する場合には、ＣＲＳまたはＤＭ−ＲＳを用いてチャネル推定する。一方、追加キャリアタイプのサブフレームを復調する場合には、ＣＲＳの全てまたは一部が削減されている場合には、ＤＭ−ＲＳを用いてチャネル推定する。チャネル推定部４０７は、推定されたチャネル変動を共通制御チャネル用制御情報復調部４０５ａ、上り共有データチャネル用制御情報復調部４０５ｂ、下り共有データチャネル用制御情報復調部４０５ｃ及び下り共有データ復調部４０６ａに出力する。これらの復調部においては、推定されたチャネル変動及び復調用の参照信号を用いて復調処理を行う。
【０１０７】
受信品質測定部４０８は、下りチャネルの受信品質を示す指示子であるＣＱＩを測定する。受信品質測定部４０８は、受信品質の測定結果をマッピング部４１５に出力し、基地局装置２０Ａにフィードバックする。受信品質の測定結果は、移動端末装置１０から直に基地局装置２０Ａにフィードバックされてもよいし、移動端末装置１０から基地局装置２０Ｂを介して基地局装置２０Ａにフィードバックされてもよい。
【０１０８】
割当部４０９は、下り共有データ復調部４０６ａによって復調された上位レイヤ信号に基づいてＳＣｅｌｌに予約するＰＵＳＣＨリソースを決定する。上位レイヤ信号によってサブフレーム毎に複数のＰＵＳＣＨリソースを予約することができる（図３参照）。また、上位レイヤ信号によっては複数のサブフレーム間隔で、複数のＰＵＳＣＨリソースを予約することができる（図５参照）。割当部４０９は、下り共有データチャネル用制御情報復調部４０５ｃによって復調された下りリンクスケジューリング割当てに含まれたトリガビット（図４参照）に基づいて、予約されているＰＵＳＣＨリソースの中から指定されたＰＵＳＣＨリソースをトリガする。すなわち、下りリンクスケジューリング割当てに含まれたトリガビットによって特定されるＰＵＳＣＨリソースを例えばＳＣｅｌｌに割当てる。割当部４０９による上りリンクのリソース制御にしたがって、ＳＣｅｌｌの上りリンクにトリガしたＰＵＳＣＨリソースを用いてＡＣＫ／ＮＡＣＫとＣＱＩ報告とを一緒にして基地局（ＲＲＨ）へ送信する。
【０１０９】
ここで、割当部４０９は、同一サブフレームにおいて、上りスケジューリンググラントでＰＵＳＣＨを割当て、下りスケジューリング割当てでＰＤＳＣＨを割当てが行われる場合は、以下のように取り扱う。
【０１１０】
上りリンクスケジューリンググラント及び下りリンクスケジューリング割当てによってＣＱＩ報告を共にトリガしていない場合は、上りリンクスケジューリンググラントによってトリガされたＰＵＳＣＨを用いてＡＣＫ／ＮＡＣＫを送信する。
【０１１１】
上りリンクスケジューリンググラントはＣＱＩ報告をトリガしているが、下りリンクスケジューリング割当てではＣＱＩ報告をトリガしていない場合は、上りスケジューリンググラントにしたがってトリガされたＰＵＳＣＨを用いてＵＣＩ（ＡＣＫ／ＮＡＣＫ＋ＣＱＩ）を送信する。
【０１１２】
一方、上りリンクスケジューリンググラントではＣＱＩ報告をトリガしていないが、下りリンクスケジューリング割当てでトリガしている場合、並びに上りリンクスケジューリンググラント及び下りリンクスケジューリング割当てで共にＣＱＩ報告をトリガしている場合は誤設定として扱う。
【０１１３】
また、割当部４０９は、下りリンクスケジューリング割当てによってＣＱＩ報告がトリガされておらず、かつ上りリンクスケジューリンググラントによってＳＣｅｌｌに対してＰＵＳＣＨが割り当てられていない場合、下りリンクスケジューリング割当てによって割り当てられたＰＤＳＣＨに対するＡＣＫ／ＮＡＣＫを、予約されたＰＵＳＣＨリソースのいずれかを用いてＳＣｅｌｌから送信することができる。
【０１１４】
また、割当部４０９は、ＰＣｅｌｌとＳＣｅｌｌの上りリンクの同時送信が許可されている場合、ＰＣｅｌｌで受信したＰＤＳＣＨに対するＡＣＫ／ＮＡＣＫ及び又はＣＱＩ報告を、ＰＣｅｌｌの上りリンクに割り当てたＰＵＳＣＨ又ＰＵＣＣＨを用いて所定サブフレームで送信する。また、ＳＣｅｌｌで受信したＰＤＳＣＨに対するＡＣＫ／ＮＡＣＫ及びＣＱＩ報告を、ＳＣｅｌｌの上りリンクに割り当てたＰＵＳＣＨを用いてＰＣｅｌｌと同じサブフレームで送信してもよい。
【０１１５】
また、割当部４０９は、ＰＣｅｌｌとＳＣｅｌｌの上りリンク同時送信が許可されていない場合、ＳＣｅｌｌの上りリンクに割り当てたＰＤＳＣＨによるＡＣＫ／ＮＡＣＫ及びＣＱＩ報告の送信を、ＰＣｅｌｌの上りリンクに割り当てたＰＵＳＣＨによるＵＣＩ送信よりも優先することが望ましい。
【０１１６】
また、割当部４０９は、ＰＣｅｌｌとＳＣｅｌｌによる上りリンク同時送信が許可されていない場合、ＰＣｅｌｌの上りリンクに割り当てたＰＵＳＣＨによるＵＣＩ送信と、ＳＣｅｌｌの上りリンクに割り当てたＰＵＳＣＨによるＵＣＩ送信とは、２つのキャリアのうち最小のセル番号有するキャリアを優先する。
【０１１７】
また、割当部４０９は、ＰＣｅｌｌとＳＣｅｌｌによる上り制御情報の送信時間が重なったときのＳＣｅｌｌの優先度を事前に上位レイヤ信号によって通知されても良い。
【０１１８】
また、ベースバンド信号処理部１０４は、送信処理系の機能ブロックとして、データ生成部４１１、チャネル符号化部４１２、変調部４１３、ＤＦＴ部４１４、マッピング部４１５、ＩＦＦＴ部４１６、ＣＰ挿入部４１７を備えている。データ生成部４１１は、アプリケーション部１０５から入力されるビットデータから送信データを生成する。チャネル符号化部４１２は、送信データに対して誤り訂正等のチャネル符号化処理を施し、変調部４１３はチャネル符号化された送信データをＱＰＳＫ等で変調する。
【０１１９】
ＤＦＴ部４１４は、変調された送信データを離散フーリエ変換する。マッピング部４１５は、ＤＦＴ後のデータシンボルの各周波数成分を、基地局装置２０Ａ、２０Ｂに指示されたサブキャリア位置へマッピングする。ＩＦＦＴ部４１６は、システム帯域に相当する入力データを逆高速フーリエ変換して時系列データに変換し、ＣＰ挿入部４１７は時系列データに対してデータ区切りでサイクリックプレフィックスを挿入する。
【０１２０】
このように構成された移動端末装置１０では、上位レイヤ信号によってＳＣｅｌｌの上りリンクのサブフレーム毎または所定周期でＰＵＳＣＨリソースが予約され、下りリンクスケジューリング割当てに含まれたトリガビットによって任意の予約ＰＵＳＣＨリソースをトリガして、当該ＰＵＳＣＨリソースを用いてＡＣＫ／ＮＡＣＫと一緒にＣＱＩ報告を送信できる。
【０１２１】
以上のように、本実施の形態に係る通信システムによれば、下りリンクスケジューリング割当てによって任意の予約ＰＵＳＣＨリソースをトリガして上りリンクにリソース割当てできるので、ＨｅｔＮｅｔにおけるキャリアアグリゲーション時にＣＱＩがドロップする頻度を抑制でき、高効率にＵＣＩを送信できるシステムを構築できる。
【０１２２】
本発明は上記実施の形態に限定されず、様々変更して実施することが可能である。例えば、本発明の範囲を逸脱しない限りにおいて、上記説明におけるキャリア数、キャリアの帯域幅、シグナリング方法、追加キャリアタイプの種類、処理部の数、処理手順については適宜変更して実施することが可能である。その他、本発明の範囲を逸脱しないで適宜変更して実施することが可能である。
【符号の説明】
【０１２３】
１０  移動端末装置
２０Ａ  基地局装置（第１の基地局装置）
２０Ｂ  基地局装置（第２の基地局装置）
１０３  送受信部
１０４  ベースバンド信号処理部
２０３Ａ、２０３Ｂ  送受信部
２０４Ａ  ベースバンド信号処理部
３００  制御情報生成部
３０１  データ生成部
３０２  コンポーネントキャリア選択部
３１０  スケジューリング部
４０６  データ復調部
４０６ａ  下り共有データ復調部
４０７  チャネル推定部
４０８  受信品質測定部
４０９  割当部
【図１】
0005940850.tif 000002
【図２】
0005940850.tif 000003
【図３】
0005940850.tif 000004
【図４】
0005940850.tif 000005
【図５】
0005940850.tif 000006
【図６】
0005940850.tif 000007
【図７】
0005940850.tif 000008
【図８】
0005940850.tif 000009
【図９】
0005940850.tif 000010
【図１０】
0005940850.tif 000011
【図１１】
0005940850.tif 000012
【図１２】
0005940850.tif 000013